(57)【要約】【課題】複数選択した文書について個別に印刷設定を行うモードと、全文書に共通の印刷設定を行うモードとの２通りのモードしか設定できないと、例えば異なる印刷指示の文書のセットを複数部作成する場合に作業に手間がかかる。【解決手段】入力される文書を記憶装置５２に保存しておき、この保存した文書を複数選択して印刷出力することが可能なデジタルカラー複写機などの画像処理装置において、入力される文書を印刷内容と関連付けて記憶装置５２に保存しておき、保存した文書を複数選択した際に、この選択した複数の文書のうち、任意の文書に対して印刷内容の変更を行う一方、選択した複数の文書を選択順に、文書と対応付けて保存した変更前の印刷内容または変更後の印刷内容にて印刷するようにする。【選択図】図３
2006261890.tif 000002
【特許請求の範囲】
【請求項１】
文書を入力する文書入力手段と、
前記文書入力手段によって入力する文書の印刷内容を設定する印刷設定手段と、
前記文書入力手段によって入力された文書を前記印刷設定手段によって設定された印刷内容と関連付けて記憶する記憶手段と、
前記記憶手段に記憶された文書を選択する文書選択手段と、
前記文書選択手段によって選択された複数の文書のうち、任意の文書に対して印刷内容を変更する設定変更手段と、
前記文書選択手段によって選択された複数の文書を選択順に、前記印刷設定手段によって設定された印刷内容、または前記設定変更手段によって変更された印刷内容にて印刷する印刷手段と
を備えることを特徴とする画像処理装置。
【請求項２】
前記設定変更手段は、前記文書選択手段によって選択された複数の文書のうち、任意の複数文書をさらに選択して当該複数文書に対して共通の印刷内容に変更する
ことを特徴とする請求項１記載の画像処理装置。
【請求項３】
前記共通の印刷内容は、印刷結果物に対して行う後処理である
ことを特徴とする請求項２記載の画像処理装置。
【請求項４】
前記印刷手段は、前記文書選択手段によって選択された複数の文書を選択順に１部ずつ印刷するのを指定部数分だけ繰り返すソートモードと、当該複数の文書を選択順に指定部数分だけ印刷するスタックモードとを選択可能である
ことを特徴とする請求項１記載の画像処理装置。
【請求項５】
入力される文書を印刷内容と関連付けて保存する第１ステップと、
前記第１ステップで保存した文書を複数選択する第２ステップと、
前記第２ステップで選択した複数の文書のうち、任意の文書に対して印刷内容を変更する第３ステップと、
前記第２ステップで選択した複数の文書を選択順に、前記第１ステップで文書と対応付けて保存した印刷内容、または前記第３ステップで変更した印刷内容にて印刷する第４ステップと
を有することを特徴とする画像処理方法。
【発明の詳細な説明】
【技術分野】
【０００１】
本発明は、画像処理装置および画像処理方法に関し、特に入力される文書を保存しておき、この保存した文書を複数選択して印刷出力することが可能な画像処理装置および画像処理方法に関する。
【背景技術】
【０００２】
従来、入力される文書を保存可能な画像処理装置では、保存した文書を複数選択して印刷出力する際に、選択した全文書を選択順に結合して同じ印刷内容の指示で印刷するモードと、各文書ごとに個別の印刷内容の指示で選択順に印刷するモードとを適宜設定できるようにし、また個別印刷時に、選択した文書全体にかかる印刷内容を指定できるようにしていた（例えば、特許文献１参照）。
【０００３】
【特許文献１】特開２００３−９４７７４号公報
【発明の開示】
【発明が解決しようとする課題】
【０００４】
しかしながら、上述した従来技術では、複数選択した文書について個別に印刷内容の設定を行うモードと、全文書に共通の印刷内容の設定を行うモードとの２通りのモードしか設定できないために、例えば異なる印刷内容の文書のセットを複数部作成する場合に、作業に手間がかかるという課題があった。
【０００５】
具体的には、例えば、複数文書をまとめてステープルした文書と、ステープルしない文書のセットを複数作成して配布したい場合に、ステープルする文書とステープルしない文書を個別に印刷した後に、オペレータの手作業によって印刷結果物を並び替えて、配布するセットを複数作る作業が必要になるため作業に手間がかかる。また、複数文書を個別設定で印刷するモードでは、複数部数の印刷時の印刷順が選択順で、しかも1部ずつの印刷を指定部数分だけ繰り返すソートモードに固定されている。
【０００６】
そこで、本発明は、複数文書をまとめて印刷する場合に、異なる印刷内容の文書のセットを複数部作成する処理を容易に行うことが可能な画像処理装置および画像処理方法を提供することを目的とする。
【課題を解決するための手段】
【０００７】
上記目的を達成するために、本発明では、入力される文書を保存しておき、この保存した文書を複数選択して印刷出力することが可能な画像処理装置において、入力される文書を印刷内容と関連付けて保存しておき、保存した文書を複数選択した際に、この選択した複数の文書のうち、任意の文書に対して印刷内容の変更を行う一方、選択した複数の文書を選択順に、文書と対応付けて保存した変更前の印刷内容または変更後の印刷内容にて印刷する構成を採っている。
【０００８】
上記構成の画像処理装置において、選択した複数の文書のうち、任意の文書に対して印刷内容を変更できることで、複数文書をまとめて印刷する場合に、任意の文書に対して後処理等の印刷内容の設定を行うことができる。
【発明の効果】
【０００９】
本発明によれば、複数文書をまとめて印刷する場合に、任意の文書に対して後処理等の印刷内容を設定できるため、異なる印刷内容の文書のセットを複数部作成する処理を容易に行うことができる。
【発明を実施するための最良の形態】
【００１０】
以下、本発明の実施の形態について図面を参照して詳細に説明する。
【００１１】
図１は、本発明に係る画像処理装置の全体構成の一例を示す概略構成図である。図１に示すように、本例に係る画像処理装置１０は、画像処理装置本体１１に加えてトレイ１２および後処理装置１３を装備した構成となっている。
【００１２】
画像処理装置本体１１は、スキャン機能、コピー機能、プリント機能、ＦＡＸ機能、ネットワーク通信機能等の各種の機能を併せ持つデジタル複合機や、デジタルカラー複写機等である。ここでは、画像処理装置本体１１が例えばデジタルカラー複写機である場合を例に挙げて説明するものとし、その具体的な構成については後述する。
【００１３】
トレイ１２は、例えば用紙サイズごとにコピー用紙を格納し、画像処理装置本体１１から指定された用紙サイズのトレイから当該装置１１に対してコピー用紙を供給する。後処理装置１３はいわゆるフィニッシャーと呼称され、印刷結果物（印刷された用紙）に対してステープル／パンチ／中とじ製本／各種折りなどの後処理を行う装置である。
【００１４】
（デジタルカラー複写機の構成）
図２は、画像処理装置本体１１、例えばタンデム方式のデジタルカラー複写機の一例を示す概略構成図である。図２から明らかなように、本例に係るデジタルカラー複写機は、画像読取部２０および画像形成部３０などを備え、装置本体の例えば上面側には表示機能を持つ操作パネル部（ユーザＩ／Ｆ（インターフェース）表示部）４０を有する構成となっている。
【００１５】
画像読取部２０において、プラテンガラス２１上に載置された原稿５０の画像は、照明用ランプ２２からの照射光に基づく原稿面からの反射光である像光として、ミラー系２３を経由した後レンズ２４により光学センサー、例えばＣＣＤ(Charge Coupled Device)イメージセンサー２５の撮像面上に結像される。すると、ＣＣＤイメージセンサー２５は、原稿画像が例えばカラー画像の場合には、原稿５０の反射率情報をＲ（レッド），Ｇ（グリーン），Ｂ（ブルー）の信号として読み取り、Ｒ，Ｇ，Ｂの各信号を出力する。
【００１６】
画像形成部３０は、画像出力装置として、Ｙ（イエロー），Ｍ（マゼンタ），Ｃ（シアン），Ｋ（ブラック）の各色材ごとに画像形成エンジン３１Ｙ，３１Ｍ，３１Ｃ，３１Ｋを有している。これら画像形成エンジン３１Ｙ，３１Ｍ，３１Ｃ，３１Ｋは、例えば、図の右側から、即ち用紙搬送方向の上流側からＹ，Ｍ，Ｃ，Ｋの順に水平にかつ直列に配置されている。
【００１７】
画像形成エンジン３１Ｙにおいて、像担持体である感光ドラム３２Ｙの周囲には、Ｙの信号に応じて画素ごとにレーザビームのオンデューティ時間を決めるとともに、感光ドラム３２Ｙ上を露光して静電潜像を形成する露光源（画像書込装置）３３Ｙ、感光ドラム３２Ｙの表面を一様に帯電させるための帯電器３４Ｙ、感光ドラム３２Ｙ上の静電潜像を電子写真プロセスによってトナー像に現像するための現像器３５Ｙ、トナー像を用紙（記録紙）に転写させるための転写器３６Ｙ、転写後の残留トナーを回収するためのクリーナー３７Ｙなどが配置されている。現像器３５Ｙには、トナーを格納したカートリッジ（図示せず）が収納されている。
【００１８】
画像形成エンジン３１Ｙと同様に、画像形成エンジン３１Ｍの感光ドラム３２Ｍの周囲には、露光源３３Ｍ、帯電器３４Ｍ、現像器３５Ｍ、転写器３６Ｍ、クリーナー３７Ｍなどが配置され、画像形成エンジン３１Ｃの感光ドラム３２Ｃの周囲には、露光源３３Ｃ、帯電器３４Ｃ、現像器３５Ｃ、転写器３６Ｃ、クリーナー３７Ｃなどが配置され、画像形成エンジン３１Ｋの感光ドラム３２Ｋの周囲には、露光源３３Ｋ、帯電器３４Ｋ、現像器３５Ｋ、転写器３６Ｋ、クリーナー３７Ｋなどが配置されている。
【００１９】
上記構成の画像読取部２０および画素形成部３０を具備するタンデム方式のデジタルカラー複写機では、先ず、露光源３３ＹでＹ（イエロー）の信号が光信号に変換され、レーザビームの照射により感光ドラム３２Ｙ上に原稿画像に対応した静電潜像が形成される。このＹの静電潜像は、現像器３５Ｙによりトナー像に現像される。そして、先述したオプショントレイ１３またはオプション大容量トレイ１４から送り込まれ、用紙搬送ベルト３８によって搬送されてくる用紙に対して、転写機３６ＹがＹの静電潜像にトナー像を転写する。
【００２０】
続いて、露光源３３ＭがＭ（マゼンタ）の光信号を出力し、Ｍの静電潜像の形成、現像の各工程を経て、搬送ベルト３８によって搬送されてくる用紙に対してＭのトナー像を転写機３６Ｍによって転写する。以下同様にして、Ｃ（シアン）、Ｋ（ブラック）の潜像形成、現像、転写が行われる。このようにして、搬送ベルト３９によって搬送されてくる用紙に対して４色の転写が順次行われる。そして、４色目の転写が終了すると、用紙は定着装置３９に送られてトナー像の溶融定着が行われ、一連の画像形成処理が完了する。
【００２１】
（信号系の構成）
図３は、本発明に係る画像処理装置１０における信号系の構成の一例を示すブロック図である。
【００２２】
図３に示すように、本例に係る信号系は、画像入力部５１、記憶装置５２、ユーザインターフェース５３、印刷部５４およびマイクロコンピュータ（以下、「マイコン」と略称する）５５によって構成されている。
【００２３】
画像入力部５１は、図２の画像読取部２０に相当し、原稿画像を読み取り、その文書データを入力する。但し、画像入力部５１としては、図２の画像読取部２０に限られるものではなく、外部の端末装置、例えばパーソナルコンピュータ（ＰＣ）を画像入力部５１として用いて、当該端末装置で作成した文書データを本画像処理装置（デジタルカラー複写機）に入力する構成を採ることも可能である。この画像入力部５１から入力された文書データは、文書ごとに記憶装置５２に保存される。
【００２４】
ユーザインターフェース５３は、図２の操作パネル部４０に相当し、ユーザによる各種の設定や命令などの入力操作を行うための操作入力部である。このユーザインターフェース５３は、画像入力部５１によって入力された文書の印刷内容を設定する印刷設定手段５３１、記憶装置５２に保存されている文書を選択する文書選択手段５３２および当該文書選択手段５３２によって選択された複数の文書のうち、任意の文書に対して印刷内容を変更する設定変更手段５３３としても機能する。
【００２５】
設定変更手段５３３は、文書選択手段５３２によって選択された複数の文書のうち、任意の複数文書をさらに選択して当該複数文書に対して共通の印刷内容に変更することも可能である。ここに、共通の印刷内容とは、印刷結果物に対して行うステープルやパンチ等の後処理のことである。
【００２６】
なお、画像入力部５１から入力された文書データは、印刷設定手段５３１によって設定された印刷内容と関連付けて記憶装置５２に記憶されることになる。
【００２７】
印刷部５４は、図２の画像形成部３０に相当し、文書選択手段５３２によって選択された複数の文書を選択順に、印刷設定手段５３１によって設定された印刷内容、または設定変更手段５３３によって変更された印刷内容にて印刷する。
【００２８】
印刷部５４はさらに、文書選択手段５３２によって選択された複数の文書を選択順に１部ずつ印刷するのを指定部数分だけ繰り返すソートモードと、当該複数の文書を選択順に指定部数分だけ印刷するスタックモードとを有し、これらモードを選択可能な構成となっている。マイコン５５は、本信号系全体の制御を担う。
【００２９】
次に、本発明に係る画像処理装置１０において、記憶装置５２に保存されている文書を複数選択して印刷する場合の処理の内容について説明する。
【００３０】
先ず、ユーザインターフェース５３（図２の操作パネル部４０）のディスプレイに表示されている初期画面上において、「保存文書印刷」のボタンを押下することで、例えば図４に示す「保存文書の一覧表示画面」がディスプレイ上に表示される。「保存文書の一覧表示画面」には、記憶装置５２に保存されている文書データの文書名、保存日時、ページ数などが表示される。
【００３１】
この一覧表示画面から、ユーザによる操作によって印刷する文書を複数選択する。この複数文書の選択により、選択した順番に番号(図４では、文書名の左側に白抜きの番号で表示)がつけられ、この番号が印刷順となる。図４では、５つの文書を選択した例を図示している。
【００３２】
ここで、印刷指示の設定内容を変更する場合は、画面右側の「設定変更」ボタンを押下する。これにより、表示画面が「保存文書の一覧表示画面」から「設定変更画面」に遷移する。図５に「設定変更画面」の表示例を示す。「設定変更画面」には、「保存文書一覧画面」で選択した文書のみが表示される。
【００３３】
「設定変更画面」に表示された文書の中から、ユーザによる操作によって印刷内容を変更する文書を選択し、該当する設定変更ボタンを押下する。図５では、印刷順１〜４の４つの文書を選択した例を図示している。印刷内容を変更する文書を選択し、設定変更ボタンを押下することで、「設定変更画面」から個別の「設定画面」に遷移する。
【００３４】
印刷内容の変更可能な項目は以下の３つのグループ１〜３に分類される。
・グループ１：各文書ごとに設定されるもの。
給紙トレイ、両面指定等、個々の文書ごとの設定のみ可能。複数文書を選択して設定変更した場合は、選択した文書それぞれに変更した内容が適用される。
・グループ２：「設定変更画面」で選択した文書全体又は各文書ごとに設定されるもの。
ステープル、パンチ、表紙付け等の後処理設定。選択した文書全体をまとめて後処理を施すか、各文書ごとに後処理を施すかを選択する。
・グループ３：「設定変更画面」に表示されている文書全体に設定されるもの。
印刷部数は「設定変更画面」に表示されている文書(印刷対象文書)全体をソートモードで出力するかスタックモードで出力するかを設定する。
【００３５】
図６に、「ステープル設定変更画面」の表示例を示す。「ステープル設定変更画面」には、ステープル位置を選択するボタンと、選択されたステープル位置を例示する図と、ステープル範囲を選択するボタンが表示される。ステープル範囲については、「選択文書全体」と「文書ごと」から選択する。
【００３６】
「選択文書全体」を選択すると、「ステープル設定変更画面」に遷移する直前に「設定変更画面」で選択されていた複数の文書をまとめてステープルする処理となる。「文書ごと」を選択すると、「設定変更画面」で選択されていたそれぞれの文書ごとにステープルする処理となる。ステープル対象範囲は、ステープル開始文書とステープル終了文書を記録することで設定される。
【００３７】
なお、「設定変更画面」で複数の文書を選択していた場合、選択された全文書が連続した処理順の文書からなる場合のみ、「選択文書全体」ボタンは有効となる。処理順が連続していない複数文書が選択されていた場合(例えば、処理順１の文書と処理順３の文書が選択されていた場合など)は、「選択文書全体」ボタンはグレーアウトされ、押下操作することが出来ない状態で表示される。
【００３８】
また、一度設定変更した後は、設定時に選択した文書の一部もしくは一部を含む複数文書を選択して再度設定変更を行うと、新たに設定変更した内容が有効になる(グループ２の設定項目は同様の設定内容となる)。図６では、「左上」「選択文書全体」を選択した例を図示する。図７に、「選択文書全体」を選択した場合と、「文書ごと」を選択した場合の出力例を示す。
【００３９】
図８に「印刷部数変更画面」の例を示す。「印刷部数設定変更画面」には、印刷部数を入力するフィールドと、「ソート」モードか「スタック」モードかを選択するボタンと、選択したモードの出力形式を例示する図が表示される。図８では、「ソート」モードと出力部数３部を設定した例が図示されている。
【００４０】
図９に、複数文書を選択して印刷する場合の出力結果の一例、具体的には図４、図５、図６および図８で図示した例での出力結果を示す。この印刷例において、図４では記憶装置５２に保存されている文書の中から報告書１、報告書２、報告書３、添付資料Ａおよび配布資料１の５つの文書が選択され、図５では選択した５つの文書１〜５のうち、文書１〜４について印刷内容をステープルに変更され、図６ではステープルに関して左上位置、選択文書全体が設定され、図８では「ソート」モードと出力部数３部が設定された例となる。
【００４１】
また、「設定変更画面」で設定変更した結果を再保存することも可能である。「設定変更画面」で「保存」ボタンを押下すると、選択された文書と印刷内容を関連付けて１つの新規文書として記憶装置５２に保存する。このとき、新規の文書名を入力して保存する。保存した後は、新規文書を選択することで保存された設定で印刷が可能となる。
【００４２】
上述したように、入力される文書を記憶装置５２に保存しておき、この保存した文書を複数選択して印刷出力することが可能なデジタルカラー複写機などの画像処理装置において、入力される文書を印刷内容と関連付けて保存しておき、保存した文書を複数選択した際に、この選択した複数の文書のうち、任意の文書に対して印刷内容の変更を行う一方、選択した複数の文書を選択順に、文書と対応付けて保存した変更前の印刷内容または変更後の印刷内容にて印刷することで、複数文書をまとめて印刷する場合に、任意の文書に対して後処理等の印刷内容を設定できるため、異なる印刷内容の文書のセットを複数部作成する処理を容易に行うことができる。
【００４３】
続いて、本発明に係る画像処理装置１０において、複数文書を選択してステープル指示を行った場合の印刷処理の具体的な処理手順について、図１０のフローチャートを用いて説明する。
【００４４】
なお、本処理は、ユーザインターフェース５３（図２の操作パネル部４０）のディスプレイに表示されている初期画面上において、ユーザが「保存文書印刷」のボタンを押下操作することによって開始されるものとする。
【００４５】
先ず、印刷順１の文書を処理対象文書（処理文書）とし、ステープル処理中であるか否かを示すパラメータ(以下、「ステープル処理中フラグ」と記す)を初期化、即ちステープル処理中フラグ＝ＦＡＬＳＥとし（ステップＳ１１）、次いで処理対象文書の印刷を実行する（ステップＳ１２）。
【００４６】
次に、ステープル処理中フラグをチェックし、処理対象文書がステープル処理中か否かを判断し（ステップＳ１３）、ステープル処理中でなければ、処理対象文書がステープル開始文書として記録されているか否かを判断する（ステップＳ１４）。図５の例では、文書１がステープル開始文書であり、文書４がステープル終了文書となる。
【００４７】
ステープル開始文書として記録されていれば、ステープル処理中フラグ＝ＴＲＵＥとし（ステップＳ１５）、次いで処理対象文書がステープル終了文書として記録されているか否かを判断する（ステップＳ１６）。処理対象文書がステープル終了文書として記録されている場合は、ステープル処理を実行して排出トレイへ用紙を排出し、ステープル処理中フラグ＝ＦＡＬＳＥとする（ステップＳ１７）。
【００４８】
次に、処理対象文書の後に次の文書が存在するか否かを判断し（ステップＳ１８）、次の文書があれば、その文書を新しい処理対象文書とし（ステップＳ１９）、ステップＳ１２に戻って同様の処理を繰り返す。次の文書が無ければ、一部の印刷終了となる。このとき、ステープル処理中フラグがＴＲＵＥのままであった場合は、ステープルを行わず、用紙を排出トレイに排出する(この処理についてはフローチャート省略)。
【００４９】
次の文書が無ければ、指定された印刷部数分の印刷が完了したか否かを判断し（ステップＳ２０）、完了していれば印刷処理が終了となる。印刷部数分の印刷が完了していなければ、ステップＳ１１に戻って同様の処理を繰り返す。
【００５０】
ステップＳ１３において、ステープル処理中と判断した場合は、ステップＳ１４のステープル開始文書の判断処理をスキップし、ステップＳ１６に移行して、それ以降の処理を同様に実施する。
【００５１】
ステップＳ１４において、処理対象文書がステープル開始文書では無いと判断した場合は、用紙を排出トレイに排出し（ステップＳ２１）、ステップＳ１８に移行して、それ以降の処理を実施する。
【００５２】
ステップＳ１６において、処理対象文書がステープル終了文書では無いと判断した場合は、ステップＳ１７のステープル処理を行わず、ステップＳ１８に移行して、それ以降の処理を実施する。
【００５３】
上述した一連の処理手順は、印刷内容として後処理の一つであるステープルを指定した場合の処理手順であるが、ステープル以外の後処理が指定されている場合も、基本的に同様の処理手順となる。
【図面の簡単な説明】
【００５４】
【図１】本発明に係る画像処理装置の全体構成の一例を示す概略構成図である。
【図２】タンデム方式のデジタルカラー複写機の一例を示す概略構成図である。
【図３】本発明に係る画像処理装置における信号系の構成の一例を示すブロック図である。
【図４】「保存文書の一覧表示画面」の表示例を示す図である。
【図５】「設定変更画面」の表示例を示す図である。
【図６】「ステープル設定変更画面」の表示例を示す図である。
【図７】「選択文書全体」を選択した場合と、「文書ごと」を選択した場合の出力例を示す図である。
【図８】「印刷部数変更画面」の例を示す図である。
【図９】複数文書を選択して印刷する場合の出力結果の一例を示す図である。
【図１０】複数文書を選択してステープル指示を行った場合の印刷処理の具体的な処理手順を示すフローチャートである。
【符号の説明】
【００５５】
１０…画像処理装置、１１…画像処理装置本体、１２…トレイ、１３…後処理装置、２０…画像読取゛、３０…画像形成部、４０…操作パネル部、５１…画像入力部、５２…記憶装置、５３…ユーザインターフェース、５４…印刷部、５５…マイコン（マイクロコンピュータ）
【図１】
2006261890.tif 000003
【図２】
2006261890.tif 000004
【図３】
2006261890.tif 000005
【図４】
2006261890.tif 000006
【図５】
2006261890.tif 000007
【図６】
2006261890.tif 000008
【図７】
2006261890.tif 000009
【図８】
2006261890.tif 000010
【図９】
2006261890.tif 000011
【図１０】
2006261890.tif 000012